(57)【要約】【課題】  本発明は水の振動による簡単な装置によって衣類等を変形するおそれがなく静的に附着物を分離することを目的とする。【解決手段】  機枠１の上面に平板４をコイル発条３を介して４方均等に支持し、上記平板４の下面対称位置にそれぞれ振動モーター８，８を水平軸線上に設け、これらの振動モーター８，８の回動軸９に互に対称位置に設けた偏心重錘１０の回動方向が互に反対向きであり、上記平板４の上面に該平板４と中心線ｂを共有する水槽１１を設けてなる洗濯機。【選択図】  図１
2008114000.tif 000002
【特許請求の範囲】
【請求項１】
機枠の上面に平板をコイル発条を介して４方均等に支持し、
上記平板の下面対称位置にそれぞれ振動モーターを水平軸線上に設け、
これらの振動モーターの回動軸に互に対称位置に設けた偏心重錘の回動方向が互に反対向きであり、
上記平板の上面に該平板と中心線を共有する水槽を設けてなる洗濯機。
【請求項２】
上記コイル発条の上下端部内周に嵌合するカラーを上記機枠及び上記平板のそれぞれ４方に設けた請求項１記載の洗濯機。
【請求項３】
上記水槽の内部に分離汚物通過網を着脱自在に設け、底板に排水口を設けた請求項１又２記載の洗濯機。
【請求項４】
上記平板が上記水槽の底板である請求項１〜３のいずれかに記載の洗濯機。
【請求項５】
上記水槽の底部に分離汚物通過スクリーンを設けた請求項１〜４のいずれかに記載の洗濯機。
【発明の詳細な説明】
【技術分野】
【０００１】
本発明は水の振動による衣類等の洗濯機に関するものである。
【背景技術】
【０００２】
従来、洗浄対象物例えば衣類等に附着した汚れを除去するため振動式洗浄装置が開発された（例えば特許文献１）。
【０００３】
しかしバイブレーターを１個用いるものであるため振動の方向が上下方向に一定しないため水槽を４本のガイドレールに沿って上下に振動させる必要があり、装置を複雑化させた。
【０００４】
又洗浄槽の底板を振動板となし、振動板の下面対称位置に２個の超音波振動子（１６ｋＨｚ）を附設し、洗浄槽内の液体を超音波振動させ、液体内の被洗浄物と附着物とを振動差によって分離した（例えば特許文献２）。
【０００５】
上記２個の超音波発振子は振動板の下面対称位置に２個設けられてはいるが、相互の振動方向、振動位相、単位時間振動数等が同一ではなく液体の振動に方向性、位相、振動数に微少変動があるため、衣類等の洗濯には適用し難いという問題があった。
【０００６】
【特許文献１】特開平１０−２６３４９１号
【特許文献２】特開平８−２２９５２５号
【発明の開示】
【発明が解決しようとする課題】
【０００７】
本発明は水の振動による簡単な装置によって衣類等を変形するおそれがなく静的に附着物を分離することを目的とする。
【課題を解決するための手段】
【０００８】
上記の目的を達成するため本発明は
第１に機枠の上面に平板をコイル発条を介して４方均等に支持し、上記平板の下面対称位置にそれぞれ振動モーターを水平軸線上に設け、これらの振動モーターの回動軸に互に対称位置に設けた偏心重錘の回動方向が互に反対向きであり、上記平板の上面に該平板と中心線を共有する水槽を設けてなる洗濯機、
第２に上記コイル発条の上下端部内周に嵌合するカラーを上記機枠及び上記平板のそれぞれ４方に設けた上記第１発明記載の洗濯機、
第３に上記水槽の内部に分離汚物通過網を着脱自在に設け、底板に排水口を設けた上記第１又は第２発明記載の洗濯機、
第４に上記平板が上記水槽の底板である上記第１〜第３発明のいずれかに記載の洗濯機、
第５に上記水槽の底部に分離汚物通過スクリーンを設けた上記第１〜第４発明のいずれかに記載の洗濯機、
によって構成される。
【０００９】
従って対称位置にある２個の等連振動モーターを始動すると、それぞれの回動軸に互に対称位置に設けた偏心重錘が互に反対向きに同時に回動するため上記平板に上下方向の振動力が加わり、４個のコイル発条を介して該平板は上下方向にほぼ平行移動即ち上下方向ほぼ均等振動が附勢される。
【００１０】
従って水槽内の水もほぼ均等に上下方向に振動し、水中に浸漬した衣類は水の上下振動の影響により上下振動を行うが、水と衣類とは振動に位相差を生じ、
衣類附着汚物は上記位相差のため衣類から水へと分離する。
【発明の効果】
【００１１】
本発明は上述のように構成したので、衣類等を撹拌せず繊維を傷めることがなく、手洗いでないと洗濯できない物でも手洗いによることなく洗濯し得るし、毛玉ができず、糸屑が附着せず、洗濯後ふっくらとした感触が得られる効果がある。
【発明を実施するための最良の形態】
【００１２】
床面２に正方形鋼枠１’の４隅を伸縮小脚１８によって水平に支持し、該鋼枠１’の４隅に等高鋼柱１”，１”，１”，１”を立設して機枠１を形成する。
【００１３】
上記鋼柱１”，１”，１”，１”にはそれぞれ一定巻数（４〜５巻）及び一定高さのコイル発条３を配設し、その上に鋼製平板４の４隅を支持し、該平板４を水平に保持する。
【００１４】
上記発条３の上下端部内周には図１、図３に示すようにカラー５，５を嵌合し、上部カラー５を上記平板４の下面に、下部カラー５を上記鋼柱１”の上面に螺子６，６によって螺着固定する。図中７は螺子６，６のネジ頭であり、上下のカラー５，５に案内されて上記コイル発条３を垂直中心線ａの方向に伸縮させることができる。
【００１５】
上記平板４の下面の線対称位置には振動モーター８，８を水平軸線ｂに平行に設け、これらのモーター８，８は互に反対回転する２極電動機８’を用い、図２、図４に示すように回転軸９，９には対称位置に偏心重錘１０，１０を設け、
該回転軸９，９を互に等連に反対回転することによって平板４に垂直軸線ｃに沿う上下方向振動を与えることができる。
【００１６】
振動数（Ｈｚ）は上記モーター８，８の回転数を同時に調整することにより変更することができる（図５）。
【００１７】
上記平板４の上面には水平中心線ｂを共有する水槽１１を固定バンド１２，１２で固定するが上記平板４を水槽１１の底板１１’として一体的に設けることができる。
【００１８】
又上記水槽１１の内部には洗濯物からの分離汚物の通過網１３を着脱自在に支持金１４，１４に載置することができ、分離汚物を底板１１’に沈降させ、これを底板１１’の排水口１５から水槽１１外に排出し、該網１３上に汚物を分離した洗濯物を残留し、これを水槽１１外に取卸すことができる。
【００１９】
図５に示すように上記振動モーター８，８の回転数をインバーターで調整し上記水槽１１及び水槽１１内の水の上下振動を適宜変更することができる。
【００２０】
即ち被洗濯物の種類によって振動モーター８，８による振動数Ｈｚを適応させることができる。しかし振動数Ｈｚは４８以下であることが好ましい。
【００２１】
上記水槽１１の水中１６では上記振動モーター８，８による上下振動の振幅と該水中１６の被洗濯物の振幅とは全く異なり、そのため被洗濯物附着汚物は被洗濯物の布目から遊離し、上記通過網１３の下方の底板１１’上に沈降又は沈澱する。水中１６には洗剤を溶解し、洗剤溶解水を上下振動させることもできる。
【００２２】
尚図中１７で示すものは排水開閉弁である。
【産業上の利用可能性】
【００２３】
本発明では水槽１１中の水１６の上下振動と布製衣類との相互振動の相違によって汚物を分離するので、洗剤が少しで済むし、
被洗濯衣類の姿が変化せず、そのままの姿を保って洗濯が可能で背広等の形が崩れないのでドライクリーニングを行う必要がないし、手洗不要であるため羊毛品を安全に洗濯することができる。
【図面の簡単な説明】
【００２４】
【図１】本発明の洗濯機を示す正面図である。
【図２】図１Ａ−Ａ線による平面図である。
【図３】コイル発条の拡大正面図である。
【図４】水槽及び振動モーターの説明正面図である。
【図５】毎分振動数Ｈｚに対する振動又は音の大きさＤＢを示す実験図である。
【符号の説明】
【００２５】
１          機枠
３          コイル発条
４          平板
８          振動モーター
９          回転軸
１０        偏心重錘
ｂ          水平中心線
１１        水槽
【図１】
2008114000.tif 000003
【図２】
2008114000.tif 000004
【図３】
2008114000.tif 000005
【図４】
2008114000.tif 000006
【図５】
2008114000.tif 000007